(57)【要約】【技術課題】クランク部材において、熟練者でなくてもクランク軸の軸線上に永久磁石の中心合わせを高精度で簡単に行うことができる組み立て方法とその作業に用いられる治具を提供する。【解決手段】治具ａと治具ｂを設け、治具ａと治具ｂは中央で２つ割り構造から成ると共に治具ａと治具ｂ間において、クランク部材２０の回転軸２１をＶ溝５、１３間に挟み込んで固定し、クランク軸２１の軸線上に永久磁石３４の中心を合わせて台座板２７のカシメ止めを行う。このようにすることで、クランク軸２１の中心と永久磁石２７の中心は治具ａと治具ｂで固定されているため、台座板２７を正確に上段クランク板２４のカシメ軸２５にカシメ止めして組み立てを行うことができる。【選択図】図１
2018017559.tif 000002
【特許請求の範囲】
【請求項１】
クランク部材のクランク軸を両側からＶ字構内に挟み込んでクランク部材を垂直に保持したのち、クランク軸の軸線上に永久磁石の中心を合わせて台座板をカシメ止めするためのクランク部材組み立て用の治具であって、この治具は、天板と側板で到Ｌ字状に形成され、かつその内面に可動側Ｖ溝を正面に形成したスライドガイドを突出して形成し、このスライドガイドの上部には前記Ｖ溝に挟持されたクランク軸を垂直に保持する位置決め穴を形成したクランク軸固定板が形成され、更に前記天板の前記固定板の上方にはコ字の開放部が形成されている、
前記可動側治具と対面する固定側治具の内面には、前記スライドガイド側のＶ溝と対向するクランク軸挟圧Ｖ溝が形成されていると共にクランク部材の上段に位置する永久磁石取り付け用台座板には、永久磁石の中心と前記クランク軸の中心を合わせてカシメ軸によりカシメ可能なカシメ穴が形成され、前記クランク軸を前記Ｖ溝内に挟み込み、前記台座板に取り付けた永久磁石の中心とクランク軸の中心との位置合わせを行った上で前記位置決めピン穴とピン穴間に位置決めピンを挿し込んで台座板の位置決めを行い、前記永久磁石の台座板に形成したカシメ穴に上段クランク板に形成したカシメ軸のカシメ部を通してこのカシメ部をカシメ機によりカシメ止めを行う、
次に前記位置決めピンを引き抜き、この位置決めピンを引き抜いたピン穴のところに永久磁石を取り付ける、
ことを特徴とする膜式マイコンガスメータにおけるクランク部材の組立方法。
【請求項２】
クランク部材のクランク軸を両側からＶ字構内に挟み込んでクランク部材を垂直に保持したのち、クランク軸の軸線上に永久磁石の中心を合わせて台座板をカシメ止めするためのクランク部材組み立て用の治具であって、この治具は、天板と側板で到Ｌ字状に形成され、かつその内面に可動側Ｖ溝を正面に形成したスライドガイドを突出して形成し、このスライドガイドの上部には前記可動側Ｖ溝に挟持されたクランク軸を垂直に保持する位置決め穴を形成したクランク軸固定板が形成され、更に前記天板の前記固定板の上方にはコ字の開放部が形成されていること、
前記可動側治具と対面する固定側治具の内面には、前記スライドガイド側の可動側Ｖ溝と対向する挟圧側Ｖ溝が形成されていること、
前記クランク部材の永久磁石取り付け用台座板には、永久磁石の中心と前記クランク軸の中心を合わせてカシメ軸により位置決め可能なカシメ穴が形成され、前記クランク軸を前記可動側Ｖ溝内に挟み込み、前記台座板に取り付けた永久磁石の中心とクランク軸の中心との位置合わせを行った上で前記位置決めピン穴とピン穴間に挿し込んで固定する位置決めピンを設けたこと、
を特徴とする膜式マイコンガスメータにおけるクランク部材の組立用治具。
【発明の詳細な説明】
【技術分野】
【０００１】
本発明は、膜式マイコンガスメータにおいて、計量膜の往復運動を回転運動に変換し、この回転運動を永久磁石取付台座板の回転運動に変換して永久磁石を回転させ、この回転をＭＲセンサで検出して流量に換算する所謂膜式マイコンガスメータであって、前記計量膜の運動を回転運動に変換するクランク部材の組み立て方法とそれに用いられるカシメ用治具に関するものである。
【背景技術】
【０００２】
膜式マイコンガスメータは、図８、９に示すように、ガスメータ４０の計量室４１内において、計量膜４２の往復運動で回転し、この回転運動で計量室４１内に出入りするガスをバルブ４４で制御するクランク部材２０を組み込み、このクランク部材２０に取り付けた永久磁石３４を回転させ、この回転運動を電子室内のＭＲセンサ３５で検出し、このパルス数からガスの流量を換算して流量を得る構成となっている。
図中４７はガスの流入口金、４８はガスの流出口金を示す。
【０００３】
このようなことから、計量精度を高めるためには、永久磁石３４はクランク軸２１と同心的に回転することが必要であり、この同心的な回転に偏心的な回転が加わると、パルス信号が不安定となり、結果として計量誤差を生むことになることから、クランク部材２０の組み立てに際しては、永久磁石３４を取り付けた台座板２７のカシメ止めが重要となり、作業には熟練者の存在が必要不可欠であった。
【０００４】
しかし、現時においては熟練者の確保が難しく、この不足を補う解決手段の提案が望まれている。
【０００５】
本発明は、このような事情に鑑みて提供されるものであって、その目的は、それ程の熟練を有しなくても高精度に組み立て（カシメ）作業が可能な治具とこれを用いた組み立て方法を提供することである。
【発明の開示】
【課題を解決するための手段】
【０００６】
上記目的を達成するために提供される請求項１に記載の発明は、クランク部材の組み立て方法において、クランク部材のクランク軸を両側からＶ字構内に挟み込んでクランク部材を垂直に保持したのち、クランク軸の軸線上に永久磁石の中心を合わせて台座板をカシメ止めするためのクランク部材組み立て用の治具であって、この治具は、天板と側板で到Ｌ字状に形成され、かつその内面に可動側Ｖ溝を正面に形成したスライドガイドを突出して形成し、このスライドガイドの上部には前記Ｖ溝に挟持されたクランク軸を垂直に保持する位置決め穴を形成したクランク軸固定板が形成され、更に前記天板の前記固定板の上方にはコ字の開放部が形成されている、前記可動側治具と対面する固定側治具の内面には、前記スライドガイド側のＶ溝と対向するクランク軸挟圧Ｖ溝が形成されていると共にクランク部材の上段に位置する永久磁石取り付け用台座板には、永久磁石の中心と前記クランク軸の中心を合わせてカシメ軸によりカシメ可能なカシメ穴が形成され、前記クランク軸を前記Ｖ溝内に挟み込み、前記台座板に取り付けた永久磁石の中心とクランク軸の中心との位置合わせを行った上で前記位置決めピン穴とピン穴間に位置決めピンを挿し込んで台座板の位置決めを行い、前記永久磁石の台座板に形成したカシメ穴に上段クランク板に形成したカシメ軸のカシメ部を通してこのカシメ部をカシメ機によりカシメ止めを行う、次に前記位置決めピンを引き抜き、この位置決めピンを引き抜いたピン穴のところに永久磁石を取り付ける、ことを特徴とするものである。
【０００７】
また、請求項２に記載の発明は、クランク部材の組み立て用治具において、クランク部材のクランク軸を両側からＶ字構内に挟み込んでクランク部材を垂直に保持したのち、クランク軸の軸線上に永久磁石の中心を合わせて台座板をカシメ止めするためのクランク部材組み立て用の治具であって、この治具は、天板と側板で到Ｌ字状に形成され、かつその内面に可動側Ｖ溝を正面に形成したスライドガイドを突出して形成し、このスライドガイドの上部には前記可動側Ｖ溝に挟持されたクランク軸を垂直に保持する位置決め穴を形成したクランク軸固定板が形成され、更に前記天板の前記固定板の上方にはコ字の開放部が形成されていること、前記可動側治具と対面する固定側治具の内面には、前記スライドガイド側の可動側Ｖ溝と対向する挟圧側Ｖ溝が形成されていること、前記クランク部材の永久磁石取り付け用台座板には、永久磁石の中心と前記クランク軸の中心を合わせてカシメ軸により位置決め可能なカシメ穴が形成され、前記クランク軸を前記可動側Ｖ溝内に挟み込み、前記台座板に取り付けた永久磁石の中心とクランク軸の中心との位置合わせを行った上で前記位置決めピン穴とピン穴間に挿し込んで固定する位置決めピンを設けたことを特徴とするものである。
【０００８】
上記構成において、クランク部材は、クランク軸の頂点に下段クランク板を溶接又はろう付けしたのち、この下段クランク板の上に偏心軸を介して上段クランク板を偏心させて溶接又はろう付けを行い、次に永久磁石を取り付けた台座板を前記クランク板上にカシメ軸を介してカシメ止めする。
その上で固定側治具ａと可動側治具ｂ間においてＶ溝間にクランク軸を挟みこんで治具ａ、ｂをネジで固定する。
【０００９】
次に、前記治具ａにおいて永久磁石固定用の台座板のカシメ孔にカシメ軸のカシメ部を下方から通し、更に台座板の位置決め穴から固定板の位置決め穴内に位置決めピンを押し込んで永久磁石の中心がクランク部材の回転軸の中心に合致するように位置を定めたのち、カシメ機を用いてカシメ軸のカシメ部をカシメ止めする。
なお、台座板に対しては、あらかじめ永久磁石の中心に形成したピン穴と前記台座板に形成したピン穴とを合致させて永久磁石を固定しておく。
【００１０】
この結果、クランク部材において、クランク軸の中心上に台座板に固定した永久磁石の中心が固定される。
なお、台座板の永久磁石の中心にズレがあった場合には、カシメ孔とカシメ軸間にわずかな余裕を形成しておくことにより、この余裕で誤差を吸収し、正確にカシメ止めを行う。
【００１１】
以上の状態でクランク部材の組み立てを終了し、治具ａ、ｂを開放したのち、クランク部材を取り外し、ガスメータ側のクランク軸取付枠内にクランク軸を差し込み、次にカシメ軸に膜側から延長された肘金の先端を引っ掛け、更にバルブに連結されたクランクロッドの先端をカシメ軸に引っ掛けることによりクランク部材の組み立てを終了する。
【００１２】
以上の方法によりクランク部材の組み立てを終了することで、計量膜の往復運動によりクランク部材が回転し、この回転による永久磁石の回転運動をＭＲセンサで検出し、この検出により電子回路で流量を演算し、この値を表示部に表示したり、流量信号として出力する。
【発明の効果】
【００１３】
本発明は、以上に説明したように、クランク部材の回転軸を治具内のＶ字溝間に挟み込み、中心を確保した上で台座板をカシメ軸にカシメ止めするため、クランク部材のクランク軸と永久磁石の中心を正確に出し易く、熟練者でない者でも簡単かつ正確に上段クランク板上に台座板の組み付け作業を行うことができる。
【図面の簡単な説明】
【００１４】
【図１】（Ａ），（Ｂ）は本発明に係る組み立て用治具の説明図である。
【図２】クランク部材の斜視図である。
【図３】組み立て終了後のクランク部材の側面図である。
【図４】治具内にクランク部材を組み付けている状況の斜視図である。
【図５】治具内にクランク部材を挟み込んだ状態の斜視図である。
【図６】治具を組み合わせて内部にクランク部材を固定した状態の斜視図である。
【図７】治具内にクランク部材を組み込み、治具ａ、ｂを固定した状態の治具の底面図である。
【図８】膜式マイコンガスメータの内部構造を示す正面図である。
【図９】図８において、Ａ−Ａ’線断面図である。
【実施例１】
【００１５】
図１は本発明において使用されるクランク部材組み立て用の治具の一例を示すもので、この治具は、固定側治具ａと可動側治具ｂの二つの部品構成から成り、二つの部品とも金属製である。
【００１６】
治具ａは、側面視で側板１と天板２で到Ｌ字状を呈し、この内面の下部には中央に垂直のＶ溝５を形成したスライドガイド４と、このスライドガイド４の上方に水平に突出させたクランク固定板６が形成され、この固定板６の中央において、前記Ｖ字溝５の中心線上には固定穴７が形成されている。
【００１７】
また、前記クランク固定板６上方の天板２には、コ字状に切り欠いた開放口３が形成されている。
【００１８】
治具ｂは、前記治具ａに合体自在の平面視Ｌ字状から成り、この内面には、前記スライドガイド４と対向すると共に可動側Ｖ溝５に正面側から合体し、間にクランク部材２０のクランク軸２１を垂直に挟み込んで固定する固定側Ｖ溝１３を正面に形成したクランク軸固定部１４を形成し、前記治具ａと前記治具ｂとはネジ穴９を介してネジ８で合体し、固定することができる。
【００１９】
クランク部材２０は、図２、図３に示すように、クランク軸２１の頂点に下段クランク板２３を固定し、この下段クランク板２３上に偏心軸を介して上段クランク板２４を取り付け、この上段クランク板２４の上にカシメ軸２５を介して永久磁石台座板２７のカシメ穴２８内にカシメ部２６を挿し込み、位置を固定した上でカシメ部２６をカシメ機で固定する。
【００２０】
本発明は、このカシメ作業において、台座板２７に取り付けた永久磁石３４の中心と前記クランク軸２１の中心にピンを挿し込んで正確に中心同士を合致させたのち、カシメ止め作業を行うため、中心出し作業を熟練者でなくとも高精度で簡単に行うことができる。
【００２１】
３５は、電子室内において、前記永久磁石２７に対向するようにして取り付けられたＭＲセンサである。
【００２２】
図４〜図７に基づいて本発明に係る治具ａと治具ｂを使用してのクランク部材２０の組み立て手順を説明すると、図５に示すように、治具ａの内面に位置決め用の固定穴７内にクランク軸２１を上方から挿し込んで、クランク軸２１の中心位置を決め、
次に、第６図に示すように、治具ａの位置決め用の固定穴と台座板２７側の中心軸穴２９内に位置決めピンで固定し、クランク軸２１の中心位置を決める。
【００２３】
このとき、台座板２７とカシメ穴２８の形状のクリアランスにより、組立誤差を吸収する。
【００２４】
以上の順序で組み立てを行うことにより、正確で簡単にクランク部材２０のクランク軸２１と永久磁石３４の中心を合わせてカシメ止めを行うことができる。
【符号の説明】
【００２５】
ａ  可動側治具
ｂ  固定側治具
１  側板
２  天板
３  開放口
４  スライドガイド
５  可動側Ｖ溝
６  クランク固定板
７  固定穴
８  ネジ
９  ねじ穴
１０  天面
１１  側面
１２  ガイド
１３  固定側Ｖ溝
２１  回転軸１４クランク軸固定部
２２  天端
２３  下段クランク板
２４  上段クランク板
２５  カシメ軸
２６  カシメ部
２７  台座板
２８  カシメ穴
２９  中心軸穴
３０  ねじ穴
３１  シールド板
３２  ねじ穴
３３  ねじ
３４  永久磁石
３５  ＭＲセンサ
４０  膜式ガスメータ
４１  計量室
４２  計量膜
４３  クランク軸取付枠
４４  バルブ
４５  ひんじ金
４６  バルブ桿
４７  ガス流入口金
４８  ガス送出口金
【図１】
2018017559.tif 000003
【図２】
2018017559.tif 000004
【図３】
2018017559.tif 000005
【図４】
2018017559.tif 000006
【図５】
2018017559.tif 000007
【図６】
2018017559.tif 000008
【図７】
2018017559.tif 000009
【図８】
2018017559.tif 000010
【図９】
2018017559.tif 000011